(57)【要約】  【課題】庫内温度を表示させる場合、庫内に設置された温度センサ（気中）の値を表示させるが、内扉開閉時などの使用条件によっては実際の商品温度よりも高い温度を表示させてお客様に不安を与えてしまう。そのため実際の温度を一時的に表示させないなどの細工が必要であり、正確かつ必要な温度を表示出来ない。  【解決手段】表示器６と、温度センサＡ７と、負荷８と、温度センサＢ９と、設定手段１３と、演算処理部１４を備え、設定した値と温度センサＡ、Ｂから得られた温度値を比較演算することにより、設置時や商品が空のイニシャル時、実稼動の待機時、商品補充時など、条件にあわせてお客様が必要とする温度（庫内温度もしくは商品温度）を自動で表示する事が出来る自動販売機の庫内温度表示装置を提供することを目的とする。【選択図】図１
2006302166.tif 000002
【特許請求の範囲】
【請求項１】
庫内を冷却し商品を冷凍保存する自動販売機で、庫内に２つの庫内温度センサＡ、Ｂを備え、前記庫内温度センサＡは空気温度を検知し、前記庫内温度センサＢは商品と同等の熱容量負荷を検知し、庫内が設定温度以下の場合は前記庫内温度センサＢの検知温度を表示し、それ以外の場合は前記庫内温度センサＡの検知温度を表示することを特徴とする自動販売機。
【請求項２】
庫内を冷却し商品を冷凍保存する自動販売機で、庫内に２つの庫内温度センサＡ、Ｂを備え、前記庫内温度センサＡは空気温度を検知し、前記庫内温度センサＢは商品と同等の熱容量負荷を検知し、前記庫内温度センサＡ、Ｂの検知温度を比較して低い方の温度を表示することを特徴とする自動販売機。
【請求項３】
庫内を冷却し商品を冷凍保存する自動販売機で、庫内に２つの庫内温度センサＡ、Ｂを備え、前記庫内温度センサＡは空気温度を検知し、前記庫内温度センサＢは商品と同等の熱容量負荷を検知し、電源投入時から一定時間は前記庫内温度センサＡで検知した温度を表示することを特徴とする自動販売機。
【発明の詳細な説明】
【技術分野】
【０００１】
本発明は自動販売機の庫内温度表示装置に関するものである。
【背景技術】
【０００２】
従来、この種の自動販売機の庫内温度表示装置は庫内に設けられた温度センサを使用してドアなどに設けられた表示器にデジタル表示している（例えば、特許文献１参照）。
【０００３】
図７は特許文献１に記載された従来の自動販売機の庫内温度表示装置を示すものである。
【０００４】
図７に示すように、商品１と、庫内２と、内扉３と、商品収納庫４と、外扉５と、表示器６と、温度センサＡ７と、冷却器１０と、庫内ファン１１と、冷凍機１２と、演算処理部１４と、タイマー１６から構成されている。
【特許文献１】特開平５−１４３８４８号公報
【発明の開示】
【発明が解決しようとする課題】
【０００５】
しかしながら、前記従来の構成において庫内に設置された温度センサの値を外扉の表示器に表示させた場合、待機状態時（内扉閉時）は庫内気中温度≒商品温度≒温度センサ温度の関係が成り立つが、内扉を開けて商品を補充すると外気が庫内に侵入してくるため、庫内気中温度≒温度センサ＞商品温度の関係になる。よって、実際の商品温度よりも高い温度を表示させてお客様に不安を与えないよう、実際の温度を一時的に表示させないなどの細工が必要であり正確な温度が表示出来ないという課題を有していた。
【０００６】
また、温度センサに熱容量を取り付けて商品温度に近い温度（擬似商品温度）を表示させた場合、設置時や商品が空のプルダウン時に商品が無いにも関わらず擬似商品温度の値を表示させてしまい、実際の庫内温度（気中）と比較して表示温度が下がりにくいという課題を有していた。
【０００７】
本発明は前記従来の課題を解決するもので、設置時や商品が空のイニシャル時、実稼動の待機時、商品補充時など、条件にあわせてお客様が必要とする温度を自動で表示する事が出来る自動販売機の庫内温度表示装置を提供することを目的とする。
【課題を解決するための手段】
【０００８】
前記従来の課題を解決するために、本発明の自動販売機の庫内温度表示装置は、販売する商品と、商品を保存するため断熱材に覆われた庫内と、商品を補充するため庫内に設けられた内扉と、商品を収納、搬出するための商品収納庫と、自動販売機外郭に設けられた外扉と、庫内を循環させるための庫内ファンと、庫内を冷却するための冷却器と冷凍機と、庫内温度を表示するための表示器と、庫内気中温度を検知するための温度センサＡと、商品とほぼ同等の熱容量の負荷と、その負荷の温度を検知するための温度センサＢと、実稼動開始温度を設定するための設定手段と、設定手段で設定された値と温度センサの値を比較演算するための演算処理部から構成され、設定された実稼動開始温度よりも庫内温度が高い場合は設置時や商品が空のイニシャル時と判断、庫内気中温度を表示する。
【０００９】
また庫内が冷却されて設定された実稼動温度に到達後、商品温度に相当する擬似商品温度に切り替えて表示する。これによってイニシャル時は庫内気中温度を、実稼動の待機時、商品補充時は商品温度を表示して、お客様が必要とする温度を常に自動で表示する事が出来る。
【００１０】
また、本発明の自動販売機の庫内温度表示装置は温度センサＡ，Ｂの値を比較演算するための演算処理部を有しており、温度センサＡ，Ｂを比較して温度の低いセンサ値を表示する。これにより、庫内高温から低温（商品保存温度）までの連続冷却運転時（例えばイニシャルプルダウン）は、温度センサＡ（熱容量小）＜Ｂ（熱容量大）より温度センサＡ（庫内気中検知）を、内扉を開けて商品を補充した場合は、外気が侵入するため庫内空気温度が上昇、温度センサＡ（熱容量小）＞Ｂ（熱容量大）より温度センサＢ（擬似商品温度）を、商品保存温度でほぼ一定にコントロールしている待機時は温度センサＡ（熱容量小）≒Ｂ（熱容量大）となるためＡもしくはＢを表示することが出来、通常は庫内温度（気中）を、実稼動時に最も商品温度が上昇することが予想される商品補充時（内扉開）は肝心の商品温度を表示する事が自動で出来る。
【００１１】
また、本発明の自動販売機の庫内温度表示装置は、本体への電源がＯＦＦ→ＯＮされた事を検知するための電源検知手段と、電源投入〜実稼動開始までの時間を設定するための設定手段と、電源投入から時間をカウントするためのタイマーと、設定手段で設定された値とタイマーの値を比較演算するための演算処理部を有しており、本体への電源ＯＦＦ→ＯＮを検知して、電源投入時は設置時（商品無し）などのイニシャルプルダウン時と判断、設定された時間だけ庫内気中温度を表示する。以後、商品温度（擬似商品温度）に切り替える。
【００１２】
これによって設置時や商品が空のイニシャル時は庫内気中温度を、実稼動の待機時、商品補充時は商品温度を表示して、お客様が必要とする温度を常に自動で表示する事が出来る。
【発明の効果】
【００１３】
本発明の自動販売機の庫内温度表示装置は設置時や商品が空のイニシャル時、実稼動の待機時、商品補充時など、条件にあわせてお客様が必要とする温度を自動で表示する事が出来る。
【発明を実施するための最良の形態】
【００１４】
第１の発明は庫内を冷却し商品を冷凍保存する自動販売機で、庫内に２つの庫内温度センサＡ、Ｂを備え、前記庫内温度センサＡは空気温度を検知し、前記庫内温度センサＢは商品と同等の熱容量負荷を検知し、庫内が設定温度以下の場合は前記庫内温度センサＢの検知温度を表示し、それ以外の場合は前記庫内温度センサＡの検知温度を表示するため、設定された実稼動開始温度よりも庫内温度が高い場合は設置時や商品が空のイニシャル時と判断、庫内気中温度を表示する。
【００１５】
また庫内が冷却されて設定された実稼動温度に到達後、商品温度に相当する擬似商品温度に切り替えて表示する。これによってイニシャル時は庫内気中温度を、実稼動の待機時、商品補充時は商品温度を表示して、お客様が必要とする温度を常に自動で表示する事が出来る。
【００１６】
第２の発明は、温度センサＡ，Ｂの値を比較演算するための演算処理部を有しており、温度センサＡ，Ｂを比較して温度の低いセンサ値を表示する。
【００１７】
これにより、庫内高温から低温（商品保存温度）までの連続冷却運転時（例えばイニシャルプルダウン）は、温度センサＡ（熱容量小）＜Ｂ（熱容量大）より温度センサＡ（庫内気中検知）を、内扉を開けて商品を補充した場合は、外気が侵入するため庫内空気温度が上昇、温度センサＡ（熱容量小）＞Ｂ（熱容量大）より温度センサＢ（擬似商品温度）を、商品保存温度でほぼ一定にコントロールしている待機時は温度センサＡ（熱容量小）≒Ｂ（熱容量大）となるためＡもしくはＢを表示することが出来、通常は庫内温度（気中）を、実稼動時に最も商品温度が上昇することが予想される商品補充時（内扉開）は肝心の商品温度を表示する事が自動で出来る。
【００１８】
第３の発明は、電源投入時から一定時間は前記庫内温度センサＡで検知した温度を表示するため、電源投入時は設置時（商品無し）などのイニシャルプルダウン時と判断、設定された時間だけ庫内気中温度を表示し、その後は商品温度（擬似商品温度）に切り替える。
【００１９】
これによって設置時や商品が空のイニシャル時は庫内気中温度を、実稼動の待機時、商品補充時は商品温度を表示して、お客様が必要とする温度を常に自動で表示する事が出来る。
【００２０】
以下、本発明の実施の形態について図面を参照しながら説明する。なお、この実施の形態によって本発明が限定されるものではない。
【００２１】
（実施の形態１）
図１は、本発明の実施の形態１における自動販売機の庫内温度表示装置の構成図を示すものである。図２は、本発明の実施の形態１における自動販売機の庫内温度表示装置のフローチャートを示すものである。
【００２２】
図１において２は販売する商品１を保存するため断熱材に覆われた庫内。３は商品１を補充するため庫内２に設けられた内扉。庫内２には商品１を収納、搬出するための商品収納庫４と、循環させるための庫内ファン１１と、冷却するための冷却器１０と、気中温度を検知するための温度センサＡ７と、商品１とほぼ同等の熱容量の負荷８と、負荷８の温度を検知するための温度センサＢ９がそれぞれ設置されている。
【００２３】
５は外郭に設けられた外扉であり、庫内２の温度を表示するための表示器６を備えている。１２は庫内２を冷却させるための冷却器１０に接続された冷凍機。１３は実稼動開始温度を設定するための設定手段。１４は設定手段１３で設定された値と温度センサＡ７、温度センサＢ９の値を比較演算するための演算処理部で構成されている。
【００２４】
以上のように構成された自動販売機の庫内温度表示装置について以下その動作を図２にて説明する。
【００２５】
図２において、ＳＴＥＰ１にて設定手段１３で設定した温度の実稼動開始温度ｄ（例えば冷凍食品ならば０℃以下、アイスクリームは−１８℃以下）をＤに設定する。
【００２６】
ＳＴＥＰ２にて庫内に設置された温度センサＡ（気中検知）と温度センサＢ（擬似商品検知）からそれぞれ得られた値をＤと比較、温度センサＡ≦Ｄ  ＡＮＤ温度センサＢ≦Ｄならば実稼動中（販売可能）と判断してＳＴＥＰ３にて温度センサＢ（擬似商品温度）の値を表示する。
【００２７】
それ以外の庫内温度が高い条件（実稼動外例えばイニシャル時、販売不可条件）はＳＴＥＰ４にて温度センサＡ（庫内気中温度）の値を表示する。
【００２８】
これにより設置時や商品が空のイニシャル時は庫内気中温度を、実稼動の待機時、商品補充時は商品温度を表示して、お客様が必要とする温度を常に自動で表示する事が出来る。
【００２９】
（実施の形態２）
図３は、本発明の実施の形態２における自動販売機の庫内温度表示装置の構成図を示すものである。図４は、本発明の実施の形態２における自動販売機の庫内温度表示装置のフローチャートを示すものである。
【００３０】
図３において２は販売する商品１を保存するため断熱材に覆われた庫内。３は商品１を補充するため庫内２に設けられた内扉。庫内２には商品１を収納、搬出するための商品収納庫４と、循環させるための庫内ファン１１と、冷却するための冷却器１０と、気中温度を検知するための温度センサＡ７と、商品１とほぼ同等の熱容量の負荷８と、負荷８の温度を検知するための温度センサＢ９がそれぞれ設置されている。
【００３１】
５は外郭に設けられた外扉であり、庫内２の温度を表示するための表示器６を備えている。
【００３２】
１２は庫内２を冷却させるための冷却器１０に接続された冷凍機。
【００３３】
１４は温度センサＡ７と温度センサＢ９の値を比較演算するための演算処理部で構成されている。
【００３４】
以上のように構成された自動販売機の庫内温度表示装置について以下その動作を図４にて説明する。
【００３５】
図４において、ＳＴＥＰ１にて庫内に設置された温度センサＡ（気中検知）と温度センサＢ（擬似商品検知）からそれぞれ得られた値を常に比較、温度センサＡ≦温度センサＢならばＳＴＥＰ２にて温度センサＡの値を表示器６に表示。それ以外ならばＳＴＥＰ３にて温度センサＢの値を表示器６に表示する。
【００３６】
これにより、庫内高温から低温（商品保存温度）までの連続冷却運転時（例えばイニシャルプルダウン）は、温度センサＡ（熱容量小）＜Ｂ（熱容量大）より温度センサＡ（庫内気中検知）を、内扉を開けて商品を補充した場合は、外気が侵入するため庫内空気温度が上昇、温度センサＡ（熱容量小）＞Ｂ（熱容量大）より温度センサＢ（擬似商品温度）を、商品保存温度でほぼ一定にコントロールしている待機時は温度センサＡ（熱容量小）≒Ｂ（熱容量大）となるためＡもしくはＢを表示することが出来、通常は庫内温度（気中）を、実稼動時に最も商品温度が上昇することが予想される商品補充時（内扉開）は肝心の商品温度を表示する事が自動で出来る。
【００３７】
（実施の形態３）
図５は、本発明の実施の形態３における自動販売機の庫内温度表示装置の構成図を示すものである。図６は、本発明の実施の形態３における自動販売機の庫内温度表示装置のフローチャートを示すものである。
【００３８】
図５において２は販売する商品１を保存するため断熱材に覆われた庫内。３は商品１を補充するため庫内２に設けられた内扉。庫内２には商品１を収納、搬出するための商品収納庫４と、循環させるための庫内ファン１１と、冷却するための冷却器１０と、気中温度を検知するための温度センサＡ７と、商品１とほぼ同等の熱容量の負荷８と、負荷８の温度を検知するための温度センサＢ９がそれぞれ設置されている。
【００３９】
５は外郭に設けられた外扉であり、庫内２の温度を表示するための表示器６を備えている。
【００４０】
１２は庫内２を冷却させるための冷却器１０に接続された冷凍機。１５は本体への電源がＯＦＦ→ＯＮされた事を検知するための電源検知手段。１３は電源投入〜実稼動開始までの時間を設定するための設定手段。１６は電源投入から時間をカウントするためのタイマー。１４は設定手段１３で設定された値とタイマー１６の値を比較演算するための演算処理部で構成されている。
【００４１】
以上のように構成された自動販売機の庫内温度表示装置について以下その動作を図６にて説明する。
【００４２】
図６において、ＳＴＥＰ１にて設定手段１３に電源投入〜実稼動開始までの時間ｔをＴに設定する。
【００４３】
ＳＴＥＰ２にて電源検知手段１５より本体への電源がＯＦＦ→ＯＮされた事を検知した場合はＳＴＥＰ３へ、それ以外はＳＴＥＰ６にて温度センサＢの値を表示する。
【００４４】
ＳＴＥＰ３にてタイマー１６にて時間計測を開始する。ＳＴＥＰ４にて温度センサＡの値を前記表示器に表示する。ＳＴＥＰ５にてタイマー１６の値とＴを比較、タイマーカウント値≧ＴならばＳＴＥＰ６へ、それ以外はＳＴＥＰ４へ戻り繰り返す。ＳＴＥＰ６にて実稼動開始と判断され温度センサＢを表示する。
【００４５】
これにより設置時や商品が空のイニシャル時は庫内気中温度を、実稼動の待機時、商品補充時は商品温度を表示して、お客様が必要とする温度を常に自動で表示する事が出来る。
【産業上の利用可能性】
【００４６】
以上のように、本発明の自動販売機の庫内温度表示装置は設置時や商品が空のイニシャル時、実稼動の待機時、商品補充時など、条件にあわせてお客様が必要とする温度を自動で表示する事が出来、冷蔵庫、冷凍庫などの用途にも適用できる。
【図面の簡単な説明】
【００４７】
【図１】本発明の実施の形態１における自動販売機の庫内温度表示装置の構成図
【図２】本発明の実施の形態１における自動販売機の庫内温度表示装置のフローチャート
【図３】本発明の実施の形態２における自動販売機の庫内温度表示装置の構成図
【図４】本発明の実施の形態２における自動販売機の庫内温度表示装置のフローチャート
【図５】本発明の実施の形態３における自動販売機の庫内温度表示装置の構成図
【図６】本発明の実施の形態３における自動販売機の庫内温度表示装置のフローチャート
【図７】従来の自動販売機の庫内温度表示装置の構成図
【符号の説明】
【００４８】
１    商品
２    庫内
３    内扉
４    商品収納庫
５    外扉
６    表示器
７    温度センサＡ
８    負荷
９    温度センサＢ
１０  冷却器
１１  庫内ファン
１２  冷凍機
１３  設定手段
１４  演算処理部
１５  電源検知手段
１６  タイマー
【図１】
2006302166.tif 000003
【図２】
2006302166.tif 000004
【図３】
2006302166.tif 000005
【図４】
2006302166.tif 000006
【図５】
2006302166.tif 000007
【図６】
2006302166.tif 000008
【図７】
2006302166.tif 000009